(57)【要約】【課題】発熱体が発熱する肌当接面側の面積が縮小してしまうことを抑制し、効率よく着用者の子宮を温めて生理痛を低減する。【解決手段】本発明に係る吸収性物品１は、液透過性の表面シート１１と、液不透過性の裏面シート１２と、表面シート１１と裏面シート１２との間に配置される吸収体２とを有する吸収性物品１であって、表面シート１１と裏面シート１２との間に、発熱体３Ａ、３Ｂが配置されており、発熱体３Ａ、３Ｂは、発熱材５０Ａ、５０Ｂと、発熱材５０Ａ、５０Ｂを格納する格納部材６０Ａ、６０Ｂとを有し、格納部材５０Ａ、５０Ｂは、区分された複数の区分領域７０Ａ、７０Ｂに発熱材５０Ａ、５０Ｂを格納する。【選択図】図２
2012075568.tif 000002
【特許請求の範囲】
【請求項１】
液透過性の表面シートと、液不透過性の裏面シートと、前記表面シートと前記裏面シートとの間に配置される吸収体とを有する吸収性物品であって、
前記表面シートと前記裏面シートとの間に、発熱体が配置されており、
前記発熱体は、発熱材と、前記発熱材を格納する格納部材とを有し、
前記格納部材は、区分けされた複数の区分領域に前記発熱材を格納することを特徴とする吸収性物品。
【請求項２】
前記発熱体は、前記表面シートと前記裏面シートとの間で、かつ、前記吸収体が設けられている領域よりも前記吸収性物品の長手方向の外側に配置されていることを特徴とする請求項１に記載の吸収性物品。
【請求項３】
前記吸収体と前記発熱体との間で、前記液透過性の表面シートと前記液不透過性の裏面シートとを接合するシール部が形成されていることを特徴とする請求項２記載の吸収性物品。
【発明の詳細な説明】
【技術分野】
【０００１】
本発明は、吸収性物品に関する。
【背景技術】
【０００２】
特許文献１に、液透過性の表面シートと、液不透過性の裏面シートと、表面シートと裏面シートとの間に配置される吸収体とを有する吸収性物品であって、吸収体と表面シート又は裏面シートとの間に発熱体層が設けられている吸収性物品が開示されている。
【０００３】
このような吸収性物品では、一般的に、発熱体層が、鉄粉と活性炭と塩化ナトリウムなどを含む複合粉末を用いて発熱するように構成されている。
【先行技術文献】
【特許文献】
【０００４】
【特許文献１】ＣＮ１０１２７３９３８Ａ
【発明の概要】
【発明が解決しようとする課題】
【０００５】
しかしながら、出願人は、上述の吸収性物品では、次の問題点があることを発見した。具体的に、上述の吸収性物品では、発熱体層の発熱材が、着用者の動きに起因する振動によって、特定の方向（例えば、下方向）に偏在してしまうことになる。その結果、発熱体が発熱する肌当接面側の面積が縮小してしまい、効率よく着用者の子宮を温められないという問題点があった。
【０００６】
そこで、本発明は、上述の課題に鑑みてなされたものであり、発熱体が発熱する肌当接面側の面積が縮小してしまうことを抑制し、効率よく着用者の子宮を温めて生理痛を低減することのできる吸収性物品を提供することを目的とする。
【課題を解決するための手段】
【０００７】
本発明の第１の特徴は、吸収性物品であって、液透過性の表面シートと、液不透過性の裏面シートと、前記表面シートと前記裏面シートとの間に配置される吸収体とを有する吸収性物品であって、前記表面シートと前記裏面シートとの間に、発熱体が配置されており、前記発熱体は、発熱材と、前記発熱材を格納する格納部材とを有し、前記格納部材は、区分けされた複数の区分領域に前記発熱材を格納することを要旨とする。
【発明の効果】
【０００８】
以上説明したように、本発明によれば、発熱体が発熱する肌当接面側の面積が縮小してしまうことを抑制し、効率よく着用者の子宮を温めて生理痛を低減することのできる吸収性物品を提供することができる。
【図面の簡単な説明】
【０００９】
【図１】図１は、本発明の第１の実施形態に係る吸収性物品の肌当接面側から見た平面図である。
【図２】図２は、本発明の第１の実施形態に係る吸収性物品の肌当接面側から見た平面図におけるａ-ａ断面図である。
【図３】（ａ）図３（ａ）は、本発明の第１の実施形態に係る吸収性物品の発熱体を説明するための図である。（ｂ）図３（ｂ）は、本発明の第１の実施形態に係る発熱体の格納部材と発熱材とを説明するための図である。
【図４】図４は、本発明の第１の実施形態に係る発熱体における格納部材の他の例を説明するための図である。
【図５】図５は、本発明の第１の実施形態に係る吸収性物品が下着に着用された状態を説明するための図である。
【図６】図６は、本発明の第１の実施形態に係る吸収性物品が下着に着用された状態を説明するための図である。
【発明を実施するための形態】
【００１０】
（本発明の第１の実施形態）
図１乃至図３を参照して、本発明の第１の実施形態に係る吸収性物品１について説明する。例えば、本実施形態に係る吸収性物品１は、パンティライナーや失禁パッドや生理用ナプキン等である。
【００１１】
図１に、本発明の第１の実施形態に係る吸収性物品の肌当接面側から見た平面図を示し、図２に、本発明の第１の実施形態に係る吸収性物品の肌当接面側から見た平面図におけるａ-ａ断面図を示す。
【００１２】
図２に示すように、本実施形態に係る吸収性物品１は、液透過性の表面シート１１と、液不透過性の裏面シート１２と、表面シート１１と裏面シート１２との間に配置される吸収体２とを有する。
【００１３】
なお、本実施形態に係る吸収性物品１において、表面シート１１と吸収体２との間に、セカンドシートが配置されていてもよい。
【００１４】
吸収体２は、粉砕パルプ及び高吸収ポリマーと両者を包み込むコアラップとによって構成されている。ここで、高吸収ポリマーは、ポリアクリル酸ナトリウム架橋体の粒状のポリマー、又は、ポリアクリル酸をナトリウムにより部分中和した粒状のポリマーである。
【００１５】
また、コアラップは、液体を吸収する任意の材料のシートである。例えば、コアラップとして、ティッシュを用いてもよいし、親水性繊維や粉砕パルプをエアレイド法によってシート状にしたエアレイドシートを用いてもよい。
【００１６】
また、本実施形態に係る吸収性物品１には、図１に示すように、複数の圧搾溝２１、２２、２３が設けられていてもよい。ここで、圧搾溝２１、２２、２３は、表面シート１１から吸収体２までを圧搾するように構成されている。
【００１７】
また、本実施形態に係る吸収性物品１は、図１に示すように、吸収性物品１の幅方向Ｗの両外側に延出するように形成されている１対のウィング部４１を有していてもよい。さらに、本実施形態に係る吸収性物品１は、吸収性物品１の長手方向Ｌにおいて、ウィング部４１の後方に、１対のヒップフラップ部４２を有していてもよい。
【００１８】
ここで、ウィング部４１及びヒップフラップ部４２では、裏面シート１２の衣服当接面側に、吸収性物品１を下着に固定するための粘着剤が塗布されている。
【００１９】
また、本実施形態に係る吸収性物品１では、図１及び図２に示すように、表面シート１１と裏面シート１２との間で、かつ、吸収体２が設けられている領域よりも吸収性物品１の長手方向Ｌの外側に、発熱体３Ａ、３Ｂが配置されるように構成されている。
【００２０】
また、本実施形態に係る発熱体３Ａ、３Ｂは、図１及び図２に示すように、発熱材５０Ａ、５０Ｂと、発熱材５０Ａ、５０Ｂを格納する格納部材６０Ａ、６０Ｂとを有する。
【００２１】
ここで、図３（ａ）には、発熱体３Ａの拡大図が示されている。なお、発熱体３Ａ、３Ｂは、同一であるため、以下、発熱体３Ａの構造について説明する。同様に、発熱材５０Ａ、５０Ｂと、格納部材６０Ａ、６０Ｂとについても、発熱材５０Ａと、格納部材６０Ａの構造について説明する。
【００２２】
発熱材５０Ａは、公知の使い捨てカイロなどに使用しているものが挙げられ、鉄粉と活性炭と塩化ナトリウム等を含む複合粉末を使用することができる。この複合粉末を包むシートとしては、通気性を有し、粉末の漏れ出しを防ぐものが好ましく、例えば、透湿性フィルムやメルトブローン不織布等が好適に用いられる。
【００２３】
また、図３（ｂ）には、格納部材６０Ａに格納される発熱材５０Ａの様子が示されている。図３（ｂ）に示すように、本実施形態に係る格納部材６０Ａは、区分けされた複数の区分領域７０Ａに発熱材５０Ａを格納する。
【００２４】
格納部材６０Ａは、素材として不織布を用いることができる。なお、格納部材６０Ａの素材は、これに限定されず、吸収性物品１として適切な厚み及び強度を有し、かつ、発熱材５０Ａの移動を防ぐことができれば、どのようなものを用いてもよい。
【００２５】
区分領域７０Ａは、パンチング等によって格納部材６０Ａに形成された穴の領域である。すなわち、格納部材６０Ａには、吸収性物品１の長手方向Ｌ及び幅方向Ｗに所定間隔で穴を形成することによって、区分けされた複数の区分領域７０Ａが形成されている。なお、区分領域７０Ａは、貫通させずに形成された凹みなどでもよい。
【００２６】
また、発熱材５０Ａを格納する格納部材６０Ａは、発熱材５０Ａを包むシート部材８０によって構成されていてもよい。ここで、図４には、格納部材６０Ａとして、シート部材８０を用いた例が示されている。
【００２７】
図４に示すように、シート部材８０には、シート部材８０の表面と裏面とを密着させた区分部９０が形成されている。区分部９０は、吸収性物品１の長手方向Ｌ又は幅方向Ｗに所定間隔で形成されている。なお、区分部９０は、圧搾によって形成されていてもよいし、熱溶着によって形成されていてもよい。すなわち、シート部材８０に対して、所定間隔で区分部９０を形成することによって、シート部材８０には、袋状に区分けされた複数の区分領域７０Ａが形成されている。なお、シート部材８０は、発熱材５０Ａである複合粉末を包むシートを用いることができる。
【００２８】
このように、格納部材６０Ａは、格納部材６０Ａとしてシート部材８０を用いて、区分部９０によって形成された区分領域７０Ａに、発熱材５０Ａを格納するように構成されていてもよい。
【００２９】
なお、本実施形態に係る吸収性物品１において、吸収体２が設けられている領域よりも吸収性物品１の長手方向Ｌの前方側及び後方側に、発熱体３Ａ、３Ｂが配置されるように構成されていてもよいし、吸収体２が設けられている領域よりも吸収性物品１の長手方向Ｌの前方側のみに、発熱体３Ａが配置されるように構成されていてもよい。
【００３０】
また、吸収性物品１の周囲は、接着剤やシールで接合されてシール部２４を形成しており、さらに、発熱体３Ａ、３Ｂと吸収体２との間も接着剤やシールで接合され、シール部２５Ａ、２５Ｂを形成している。このシール部２５Ａ及び２５Ｂにより、吸収体２の吸収された排泄物や水分から発生する蒸気が発熱体３Ａ及び３Ｂによって直接暖められることを防止することができる。
【００３１】
また、発熱体３Ａ、３Ｂが設けられている領域では、裏面シート１２の衣服当接面側に、吸収性物品１を下着に固定するための粘着剤が塗布されていてもよい。
【００３２】
図５及び図６に、本実施形態に係る吸収性物品１が下着１００に着用された状態を示す。
【００３３】
着用者は、吸収性物品１を下着１００に着用する際に、ウィング部４１を下着のクロッチに巻き込み、ヒップフラップ部４２を下着１００の上に広げて、吸収性物品１を下着１００に固定する。
【００３４】
発熱体３Ａ、３Ｂは、図５に示すように、本実施形態に係る吸収性物品１が下着１００に着用された状態において、下着１００の内側面に固定されるように構成されていてもよい。
【００３５】
また、発熱体３Ａ、３Ｂは、図６に示すように、本実施形態に係る吸収性物品１が下着１００に着用された状態において、下着１００の外側面に固定されるように構成されていてもよい。
【００３６】
本実施形態に係る吸収性物品１によれば、発熱材５０Ａが、格納部材６０Ａの複数の区分領域７０Ａ格納されるので、発熱材５０Ａの移動が抑制される。つまり、発熱材５０Ａが偏在することを抑制できる。
【００３７】
このように、本実施形態に係る吸収性物品１によれば、発熱材５０Ａの偏在により、発熱体３Ａが発熱する肌当接面側の面積が縮小してしまうことを抑制して、効率よく着用者の子宮を温めて生理痛を低減することができる。
【００３８】
また、本実施形態に係る吸収性物品１によれば、格納部材６０Ａが、発熱材５０Ａの偏在を抑制するので、発熱材５０Ａの偏在によって吸収性物品１の一部が突出することを抑制し、着用者に不快感をあたえることを防止することができる。
【００３９】
本実施形態に係る吸収性物品１によれば、吸収体２が設けられている領域には、発熱体３Ａ、３Ｂが配置されないように構成されているため、体液を吸収した吸収体を温めることに起因する着用者の肌及び表面シート１１の表面における蒸れを発生させることなく、着用者の子宮を温めて生理痛を低減することができる。
【００４０】
また、本実施形態に係る吸収性物品１によれば、発熱体３Ａ、３Ｂが、吸収性物品１と一体となっているため、着用者は、発熱体３Ａ、３Ｂが温かくなくなってきた場合に、吸収性物品１の取替え時期が来たと気付くことができる。
【００４１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４２】
１…吸収性物品
２…吸収体
３Ａ、３Ｂ…発熱体
１１…表面シート
１２…裏面シート
２１、２２、２３…圧搾溝
４１…ウィング部
４２…ヒップフラップ部
５０Ａ、５０Ｂ…発熱材
６０Ａ、６０Ｂ…格納部材
７０Ａ、７０Ｂ…区分領域
８０…シート部材
【図１】
2012075568.tif 000003
【図２】
2012075568.tif 000004
【図３】
2012075568.tif 000005
【図４】
2012075568.tif 000006
【図５】
2012075568.tif 000007
【図６】
2012075568.tif 000008